(57)【要約】      （修正有）【課題】冬期、又は寒冷地において、窓が凍結で開閉できない状況を回避する窓の凍結防止構造を提供する。【解決手段】窓枠の枠体の内周面か、又はサッシの框の外周面かの何れかに、シリコンゴムの薄膜体を張装する構成とした窓の凍結防止構造であり、冬期、又は寒冷地において、窓枠の内周面、及び／又は、サッシの外周面が氷結し、この窓が凍結で開閉できない状況を回避できる。日常生活において、不便を解消できる。【選択図】図４
0003158599.tif 000002
【実用新案登録請求の範囲】
【請求項１】
窓枠の枠体の内周面か、又はサッシの框の外周面かの何れかに、シリコンゴムの薄膜体を張装する構成とした窓の凍結防止構造。
【請求項２】
請求項１に記載の窓の凍結防止構造であって、
前記枠体の内周面と、サッシの框の外周面の接触部位の、全てにシリコンゴムの薄膜体を張装する構成とした窓の凍結防止構造。
【請求項３】
請求項１に記載の窓の凍結防止構造であって、
前記枠体の内周面と、サッシの框の外周面の接触部位の、一部にシリコンゴムの薄膜体を張装する構成とした窓の凍結防止構造。
【請求項４】
請求項１〜請求項３の何れかに記載の窓の凍結防止構造であって、
前記シリコンゴムの薄膜体は、シール構造とする構成とした窓の凍結防止構造。
【考案の詳細な説明】
【技術分野】
【０００１】
本考案は、冬期、又は寒冷地において、窓が凍結で開閉できない状況を回避する窓の凍結防止構造に関する。
【背景技術】
【０００２】
周知の如く、冬期、又は寒冷地において、窓枠の内周面、及び／又は、サッシの外周面が氷結し、この窓が凍結で開閉できない状況が発生する。この場合には、氷結状態を回避する必要がある。例えば、窓枠に振動を与える方法と、熱湯を注ぐ方法とかが考えられる。緊急時でない、通常の場合には、このような方法で、氷結状態を回避できる。しかしながら、この方法では、緊急時とか、障害者・老人等の生活弱者の場合には、間に合わないこととなり、大変、問題であること、又は、当該方法では、大変、厄介であること、等の改良点が挙げられる。また、前記の如く、緊急時に、直ちに、この氷結状態を回避できない場合は、生命が危険な状態になることが考えられ、この解決策が要望される処である。
【０００３】
この窓の凍結防止構造に関して、先行文献と、関連する文献とを、下記に挙げる。
【０００４】
文献（１）〜（３）として、この種のシリコンゴム系の薄膜体、又はこれに類する凍結防止シート等を張装する構成として、ガラス面の凍結防止がある。例えば、特開２００７−２９０１９８の「ガラス面の凍結防止方法と、その方法に使用する凍結防止面材」と、特開平７−９０２３３号の「粘着保護シート装置並びに該装置に用いる粘着保護シートの製作方法」と、実開平３−１５２１４号の「自動車窓凍結防止用積層シート」がある。これらの発明等は、シリコンゴム系の薄膜体等の一枚のシート素材を、必要時に張装して取付け、また、不必要時には、邪魔となり、剥離して取外すことが必要条件で有る。従って、常時、そのままの状態では、使用ができないことから、厄介、かつ面倒であること、また、最終的には、使用しないのが現況であり、無駄、かつ資源の有効利用に問題を残すこと、等の改良点が考えられる。
【０００５】
また、文献（４）〜（６）として、断熱サッシと、障子を備えたサッシの結露防止として、合成樹脂製の障子の框、又は連結部材を配備した構造がある。例えば、特開２００９−２９３３００の「断熱サッシ」と、特開２０１０−１６３６の「３枚引き戸サッシ」と、特開平６−７３９６０号の「サッシ枠と窓枠との水抜き構造」がある。これらの発明等は、合成樹脂を、障子の框、又は連結部材を配備することで、断熱効果、及び／又は、結露防止を図ることである。従って、本考案が意図する、冬期、又は寒冷地において、窓枠の内周面、及び／又は、サッシの外周面が氷結し、この窓が凍結で開閉できない状況を解消することと、この氷結に起因する弊害を回避することまで求めていないのが現況である。
【０００６】
【特許文献１】特開２００７−２９０１９８
【特許文献２】特開平７−９０２３３号
【特許文献３】実開平３−１５２１４号
【特許文献４】特開２００９−２９３３００
【特許文献５】特開２０１０−１６３６
【特許文献６】特開平６−７３９６０号
【考案の概要】
【考案が解決しようとする課題】
【０００７】
前記文献（１）〜（３）では、屋外物体で、特にガラス面の凍結防止を図るものであり、シリコンゴム系の薄膜体（シート）の素材が、凍結防止に有効であることを、単に活用することに留まる。従って、この文献（１）〜（３）は、素材の特性を単純に利用したものであり、屋外物体に対応して、この素材の構造を特定したものでなく、また、素材を、屋外物体に適合するように変更したものでない。
【０００８】
以上のことから、この文献（１）〜（３）では、文献で列挙した素材を、窓枠、框等に、装着するとの着想は、全くないこと、また、この素材を、窓枠、框等に、装着する構造は、開示されていない。従って、この文献（１）〜（３）は、本考案が意図する「窓の凍結防止構造」とは、その目的と、構造、並びに利用分野が異なる。
【０００９】
また、前記文献（４）〜（６）では、前述の如く、合成樹脂を、障子の框、又は連結部材を配備することで、断熱効果、及び／又は、結露防止を図る構造である。しかしながら、この文献（４）〜（６）の発明は、本考案が意図する、冬期、又は寒冷地において、窓枠の内周面、及び／又は、サッシの外周面が氷結し、この窓が凍結で開閉できない状況を解消することと、この氷結に起因する弊害を回避すること等は考えていない。また、この（４）〜（６）の発明は、氷結防止を目的とせず、かつそのための構造を採用しないこと、等の如く、利用分野が異なる。
【課題を解決するための手段】
【００１０】
請求項１の考案は、冬期、又は寒冷地において、窓枠の内周面、及び／又は、サッシの外周面が氷結し、この窓が凍結で開閉できない状況を回避すること、日常生活において、不便を解消すること（窓枠に振動を与える方法と、熱湯を注ぐ方法とかをなくし、この不便を解消すること）、等を意図する。そして、また、この請求項１の考案は、緊急時とか、障害者・老人等の生活弱者の場合においても、氷結で、窓の開放ができない状況を回避することで、例えば、避難の確保と、生命の安全性を確保すること、等を意図する。
【００１１】
請求項１は、窓枠の枠体の内周面か、又はサッシの框の外周面かの何れかに、シリコンゴムの薄膜体を張装する構成とした窓の凍結防止構造である。
【００１２】
請求項２の考案は、請求項１の目的を達成することと、確実な構造の凍結防止を図ること、等を意図する。
【００１３】
請求項２は、請求項１に記載の窓の凍結防止構造であって、
前記枠体の内周面と、サッシの框の外周面の接触部位の、全てにシリコンゴムの薄膜体を張装する構成とした窓の凍結防止構造である。
【００１４】
請求項３の考案は、請求項１の目的を達成することと、簡便で、取扱い容易な構造の凍結防止を図ること、等を意図する。
【００１５】
請求項３は、請求項１に記載の窓の凍結防止構造であって、
前記枠体の内周面と、サッシの框の外周面の接触部位の、一部にシリコンゴムの薄膜体を張装する構成とした窓の凍結防止構造である。
【００１６】
請求項４の考案は、請求項１の目的を達成することと、簡便で、取扱い・処理の容易な構造の凍結防止を図ること、等を意図する。
【００１７】
請求項４は、請求項１〜請求項３の何れかに記載の窓の凍結防止構造であって、
前記シリコンゴムの薄膜体は、シール構造とする構成とした窓の凍結防止構造である。
【考案の効果】
【００１８】
請求項１の考案は、窓枠の枠体の内周面か、又はサッシの框の外周面かの何れかに、シリコンゴムの薄膜体を張装する構成とした窓の凍結防止構造である。
【００１９】
従って、請求項１は、冬期、又は寒冷地において、窓枠の内周面、及び／又は、サッシの外周面が氷結し、この窓が凍結で開閉できない状況を回避できること、日常生活において、不便を解消できること（窓枠に振動を与える方法と、熱湯を注ぐ方法とかをなくし、この不便を解消すること）、等の特徴を有する。そして、また、この請求項１は、緊急時とか、障害者・老人等の生活弱者の場合においても、氷結で、窓の開放ができない状況を回避できるので、例えば、避難の確保と、生命の安全性を確保できること、等の実益がある。
【００２０】
請求項２の考案は、請求項１に記載の窓の凍結防止構造であって、
枠体の内周面と、サッシの框の外周面の接触部位の、全てにシリコンゴムの薄膜体を張装する構成とした窓の凍結防止構造である。
【００２１】
従って、請求項２は、請求項１の目的を達成できることと、確実な構造の凍結防止が図れること、等の特徴がある。
【００２２】
請求項３は、請求項１に記載の窓の凍結防止構造であって、
枠体の内周面と、サッシの框の外周面の接触部位の、一部にシリコンゴムの薄膜体を張装する構成とした窓の凍結防止構造である。
【００２３】
従って、請求項３は、請求項１の目的を達成できることと、簡便で、取扱い容易な構造の凍結防止が図れること、等の特徴がある。
【００２４】
請求項４は、請求項１〜請求項３の何れかに記載の窓の凍結防止構造であって、
シリコンゴムの薄膜体は、シール構造とする構成とした窓の凍結防止構造である。
【００２５】
従って、請求項４は、請求項１の目的を達成できることと、簡便で、取扱い・処理の容易な構造の凍結防止が図れること、等の特徴がある。
【図面の簡単な説明】
【００２６】
【図１】サッシ窓の一例を示した斜視図
【図２】サッシ窓の一例を示した、枠体にシリコンゴムの薄膜体を張装した一部欠截の正面図
【図３】図２の要部の拡大正面図
【図４】サッシ窓と躯体との一例を横断して示した、枠体にシリコンゴムの薄膜体を張装した拡大断面図
【図５】図４の要部の拡大正面図
【図６】サッシと窓枠との一例を縦断して示した、枠体にシリコンゴムの薄膜体を張装した拡大側面図
【図７】サッシと窓枠との一例を縦断して示した、他の例であり、サッシの框に、シリコンゴムの薄膜体を張装した一部欠截の拡大側面図
【考案を実施するための形態】
【００２７】
以下、本考案の実施例を説明する。
【００２８】
図中１はシリコンゴムの薄膜体のシート（以下、シート１とする）で、このシート１を、後述する、窓枠の枠体の内周面か、又はサッシの框の外周面かの何れかに、必要により、これらの双方に張装する構成である。その各実施例を、図面を基に説明する。
【００２９】
図１〜図６においては、躯体２の開口部には、サッシ用の窓枠３を設ける。そして、この窓枠３の枠体である上下枠３ａ、３ｂには、シート１を張装するが、必要により、滑車５０１のレール３ｃにも必要により張装する。そして、左右枠３ｄ、３ｅ（竪枠）には、シート１を張装するが、必要により、その対の溝部３ｄ１、３ｄ２と、３ｅ１、３ｅ２を囲繞するように張装する。この張装箇所は、この窓枠３の内周面３００の全体が最良の状態であるが、他の例として、例えば、手間、コスト、並びに実用性を考慮して、下枠３ｂと、左右枠３ｄ、３ｅの箇所とするか、及び／又は、シート１の幅を狭くするか、この下枠３ｂと、左右枠３ｄ、３ｅの長手方向の一部とするか、或いは溝部３ｄ１、３ｄ２と、３ｅ１、３ｅ２のいずれかの一面、及び／又は、その一部とするか、等を考えた結果で、最少箇所とすることも可能である。この下枠３ｂと、左右枠３ｄ、３ｅは、凍結が生じ易いこと、また、水分が溜まり易いこと、等を考慮した。
【００３０】
そして、このシート１は、厚みが、数ｍｍであって、従来の窓枠３に張装しても、サッシ５の装着と、このサッシ５の開閉動作には、全く問題とならない構造である。
【００３１】
図７はサッシ５の上下・左右框５ａ〜５ｄの外周面５００に、シート１を張装するが、必要により、この上下・左右框５ａ〜５ｄの外周面５００の何れかを、選択してシート１を張装する。このシート１の張装は、この上下・左右框５ａ〜５ｄの外周面５００の全部とすることが理想であるが、他の例としては、例えば、手間、コスト、並びに実用性を考慮して、下框５ｂと、左右框５ｃ、５ｄの箇所とするか、及び／又は、シート１の幅を狭くするか、この下框５ｂと、左右框５ｃ、５ｄの長手方向の一部とするか、或いは外周面５００のいずれかの一面、及び／又は、その一部とするか、等を考えた結果で、最少箇所とすることも可能である。尚、この下框５ｂと、左右框５ｃ、５ｄは、凍結が生じ易いこと、また、水分が溜まり易いこと、等を考慮した。その他は、前述の例に準ずる。
【００３２】
また、図示しないが、窓枠３の上下枠・左右枠３ａ、３ｂ、３ｄ、３ｅの内周面３００に、シート１を張装するとともに、サッシ５の上下・左右框５ａ〜５ｄの外周面５００に、シート１を張装する。所謂、窓枠３とサッシ５との接触面に、二重で、シート１を張装することも可能である。
【００３３】
尚、本発明の窓の凍結防止構造は、自動窓開閉装置（自動で窓の開閉を行う装置）に用いることで、窓が凍結で開閉できないことによる開閉動作の不具合を防ぐことができる。
【００３４】
また、４は、窓のガラスである。
【符号の説明】
【００３５】
１              シート
２              躯体
３              窓枠
３００          内周面
３ａ            上枠
３ｂ            下枠
３ｃ            レール
３ｄ            左枠
３ｄ１          溝部
３ｄ２          溝部
３ｅ            右枠
３ｅ１          溝部
３ｅ２          溝部
４              ガラス
５              サッシ
５００          外周面
５０１          滑車
５ａ            上框
５ｂ            下框
５ｃ            左框
５ｄ            右框
【図１】
0003158599.tif 000003
【図２】
0003158599.tif 000004
【図３】
0003158599.tif 000005
【図４】
0003158599.tif 000006
【図５】
0003158599.tif 000007
【図６】
0003158599.tif 000008
【図７】
0003158599.tif 000009